【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
タッチメッセージを送信する方法であって、
第１装置のタッチ受付面におけるタッチ領域を記録し、
上記タッチ受付面の上記タッチ領域内がタッチされることによって引き起こされる応答を記録し、
上記記録されたタッチ領域と、上記応答とを含むメッセージを作成し、
上記メッセージを上記第１装置から第２装置に送信し、
上記第２装置のタッチ受付面におけるタッチを受け付け、
上記第２装置のタッチ受付面における上記タッチが上記タッチ領域内であることを判定し、
上記タッチが上記タッチ領域内である場合、上記応答を引き起こす、方法。
【請求項２】
上記タッチ領域は、ユーザが、上記タッチ受付面にタッチし、かつ、上記タッチ受付面に適用されるタッチを記録することによって生成される、請求項１に記載の方法。
【請求項３】
上記タッチ受付面の上記タッチのための視覚的リファレンスを与えるためにメッセージに含まれる画像が選出される、請求項１に記載の方法。
【請求項４】
上記視覚的リファレンスは、上記第２装置における上記タッチの受け付けにおいて使用される、請求項３に記載の方法。
【請求項５】
上記タッチ受付面の上記タッチのための一連の視覚的リファレンスを与えるために、上記メッセージに含まれる一連の画像が選出される、請求項１に記載の方法。
【請求項６】
それぞれの上記視覚的リファレンスは、一連のタッチ領域の生成において使用される、請求項５に記載の方法。
【請求項７】
それぞれの上記視覚的リファレンスは、上記第２装置において上記一連のタッチの受け付けにおいて使用される、請求項５に記載の方法。
【請求項８】
それぞれの視覚的リファレンスは、他の視覚的リファレンスに変化する、請求項７に記載の方法。
【請求項９】
ある視覚的リファレンスから他の視覚的リファレンスへの変化は、聴覚効果および視覚効果の少なくとも一方に関連している、請求項８に記載の方法。
【請求項１０】
上記タッチ領域は、上記タッチスクリーンの複数部分の領域である、請求項１に記載の方法。
【請求項１１】
上記タッチ領域は、上記複数部分の領域における連続的なタッチをさらに含む、請求項１０に記載の方法。
【請求項１２】
上記タッチ領域は、上記複数部分の領域におけるタッチのタイミングをさらに含む、請求項１１に記載の方法。
【請求項１３】
上記タッチ領域は、ある部分の領域から他の部分の領域へのタッチおよびドラッグ移動をさらに含む、請求項１１に記載の方法。
【請求項１４】
上記タッチ領域はある部分の領域から他の部分の領域への、一連のタッチおよびドラッグ移動をさらに含む、請求項１３に記載の方法。
【請求項１５】
上記タッチ領域は、上記第２装置のユーザを示す、請求項１に示す方法。
【請求項１６】
上記タッチ領域はタッチスクリーン上で視覚的に強調される、請求項１に記載の方法。
【請求項１７】
上記第２装置のユーザに、タッチする場所と、いつタッチすべきか、および、何をタッチすべきかの少なくとも一方のいくつかの具体例と、を教えるため、視覚的プロンプトがタッチスクリーン上に表示される、請求項１に記載の方法。
【請求項１８】
上記応答は、第１画像を表示するための応答、および、第１音声を再生するための応答の少なくとも一方である、請求項１に記載の方法。
【請求項１９】
上記第２装置は、上記第２装置のユーザがタッチスクリーンの上記タッチ領域を不正確にタッチしたことを示すように構成される、請求項１に記載の方法。
【請求項２０】
上記第２装置は、上記第２装置における上記タッチ領域へのタッチの正確さを判定するように構成される、請求項１に記載の方法。
【請求項２１】
上記第１装置における上記タッチと、上記第２装置における上記タッチとの間の一致度合いを判定する、請求項１に記載の方法。
【請求項２２】
上記第２装置は、上記第１装置における上記タッチと、上記第２装置における上記タッチとの間の一致度合いを段階的に示す、請求項２１に記載の方法。
【請求項２３】
１つ以上の応答を記録し、第１応答は上記一致度合いが所定量以上であるときに引き起こされるとともに、第２応答は上記一致の程度が所定量未満であるときに引き起こされる、請求項２１に記載の方法。
【請求項２４】
上記第２装置におけるタッチの受付け、上記一致度合いの提示、および応答は、自動的に繰り返される、請求項２１に記載の方法。
【請求項２５】
上記タッチ領域は、上記第１装置のタッチスクリーンのサイズ、および上記第２装置のタッチスクリーンのサイズに応じて定められる、請求項１に記載の方法。
【請求項２６】
上記タッチ領域は、画面アスペクト比になるように定義される、請求項１に記載の方法。
【請求項２７】
タッチメッセージを送信する方法であって、
第１装置のタッチ受付面におけるタッチ領域を記録し、
上記タッチ受付面の上記タッチ領域内がタッチされることによって引き起こされる応答を記録し、
上記記録されたタッチ領域と、上記応答とを含むメッセージを作成し、
第２装置のタッチ受付面がタッチを受け付けたときに上記タッチと上記タッチ領域とを対照し、上記タッチが上記タッチ領域内である場合に上記応答を引き起こすために、上記第１装置から上記第２装置に上記メッセージを送信する、方法。
【請求項２８】
第２装置でタッチメッセージを受信する方法であって、
第１装置のタッチ受付面において記録されたタッチ領域と、上記タッチ受付面の上記タッチ領域内がタッチされることによって引き起こされる応答とを含むメッセージを受信し、
上記第２装置のタッチ受付面におけるタッチを受け付け、
上記第２装置のタッチ受付面における上記タッチが上記タッチ領域内であることを判定し、
上記タッチが上記タッチ領域内である場合、上記応答を引き起こす、方法。
【請求項２９】
タッチメッセージを送信するシステムであって、
第１装置と第２装置とを含み、
上記第１装置は、
タッチ受付面と、
タッチ受付部上のタッチ領域を記録する記録部と、
上記タッチ受付面の上記タッチ領域内がタッチされることによって引き起こされる応答を記録する記録部と、
上記記録されたタッチ領域と、上記応答とを含むメッセージを作成するメッセージ作成部と、
上記メッセージを上記第１装置から第２装置に送信する送信部と、を備え、
上記第２装置は、
タッチを受け付けるためのタッチ受付面と、
上記第２装置のタッチ受付面における上記タッチが上記タッチ領域内であることを判定し、上記タッチが上記タッチ領域内である場合上記応答を引き起こす判定部と、
を備える、システム。
【請求項３０】
第２装置にタッチメッセージを送信するよう構成された第１装置であって、
タッチ受付面におけるタッチ領域を記録する記録部と、
タッチ受付面の上記タッチ領域内がタッチされることによって引き起こされる応答を記録する記録部と、
上記記録されたタッチ領域と、上記応答とを含むメッセージを作成するメッセージ作成部と、
上記メッセージを上記第１装置から第２装置に送信する送信部と、を備え、
上記メッセージは、上記第２装置のタッチ受付面がタッチを受け付けたとき、上記タッチと上記タッチ領域とを対照してもよく、かつ上記タッチが上記タッチ領域内であるとき、上記応答が引き起こされるように構成される、第１装置。
【請求項３１】
第１装置からのタッチメッセージを受信するように構成された第２装置であって、メッセージの受信部は、記録された第１装置のタッチ受付面におけるタッチ領域と、タッチ受付面の上記タッチ領域内がタッチされることによって引き起こされる応答とを含み、
タッチを受け付けるためのタッチ受付面と、
上記第２装置のタッチ受付面における上記タッチが上記タッチ領域内であることを判定し、上記タッチが上記タッチ領域内である場合上記応答を引き起こす判定部と、を備える、第２装置。
【請求項３２】
ボータブルコンピューティングデバイスのプロセッサが、下記（Ａ）および（Ｂ）の少なくとも一方の動作を行うように制御するための指示を含んでおり、実体的な形式で格納された、コンピュータプログラム製品。
（Ａ）第１装置のタッチ受付面におけるタッチ領域を記録し、
タッチ受付面の上記タッチ領域内がタッチされることによって引き起こされる応答を記録し、
上記記録されたタッチ領域と、上記応答とを含むメッセージを作成し、
第２装置のタッチ受付面がタッチを受け付けたとき、上記タッチと上記タッチ領域とを対照してもよく、かつ上記タッチが上記タッチ領域内であるとき、上記応答が引き起こされるように、上記メッセージを上記第１装置から第２装置に送信する。
（Ｂ）上記記録された上記第１装置の上記タッチ受付面上のタッチ領域と、タッチ受付面の上記タッチ領域内がタッチされることによって引き起こされる応答とを含むメッセージを受信し、
上記第２装置のタッチ受付面におけるタッチを受け付け、
上記第２装置のタッチ受付面における上記タッチが上記タッチ領域内であることを判定し、上記タッチが上記タッチ領域内である場合に、上記応答を引き起こす。